(57)【要約】【課題】撮影に関する情報を、音を発することなく、撮影者のみに提供する。【解決手段】レリーズボタンもしくは操作部を操作する。この操作に応答して、ＣＰＵは撮影者提供情報を音声処理回路に発信する。撮影者提供情報としては、焦点が被写体に合致したことを知らせる焦点合致情報、撮影が完了したことを知らせる撮影完了情報、デジタルカメラ２の操作方法を説明する音声ガイダンスなどが挙げられる。音声処理回路は、撮影者提供情報を音声信号に変換する。骨振動伝達部２２は、音声信号に基づいて、撮影者の骨に振動を伝達する。【選択図】図３
2007199259.tif 000002
【特許請求の範囲】
【請求項１】
被写体の像を撮像する撮像手段と、半押しと全押しとに操作可能なレリーズボタンと、各種操作及び設定を行う操作部とを有する撮像装置において、
前記レリーズボタンもしくは前記操作部における操作に応答して、撮影者に対して提供される情報である撮影者提供情報を発信する情報発信手段と、
前記撮影者提供情報を、音声信号に変換する変換手段と、
前記音声信号に基づいて、前記撮影者の骨に振動を伝達する骨振動伝達手段とを備えることを特徴とする撮像装置。
【請求項２】
前記音声信号に基づいて、空気中に音声を伝達する音声伝達手段と、
前記撮影者が、前記骨振動伝達手段を使用する振動モードと、前記音声伝達手段を使用する音声モードとを、手動で切り換える手動切換手段とを備えることを特徴とする請求項１記載の撮像装置。
【請求項３】
前記撮影者が、前記撮像手段から出力される画像データに基づいて画像を表示する電子ビューファインダを使用しているか否かを検知する検知手段と、
前記検知手段が、前記撮影者が前記電子ビューファインダを使用していると検知した場合には、前記振動モードに切り換え、前記撮影者が前記電子ビューファインダを使用していないと検知した場合には、前記音声モードに切り換える自動切換手段とを備えることを特徴とする請求項２記載の撮像装置。
【請求項４】
前記レリーズボタンの半押しに応答し、前記画像データに基づいて、前記撮像手段を構成するフォーカスレンズの駆動を制御する制御手段と、
前記撮像手段における焦点が前記被写体に合致して、前記フォーカスレンズの駆動が停止したときに駆動停止信号を発信する信号発信手段とを備えることを特徴とする請求項１ないし３いずれか１項記載の撮像装置。
【請求項５】
前記撮影者提供情報は、前記レリーズボタンの全押しに応答して、撮像が完了したことを通知する撮影完了情報であることを特徴とする請求項１ないし４いずれか１項記載の撮像装置。
【請求項６】
前記撮影者提供情報は、前記操作について説明する音声ガイダンスであることを特徴とする請求項１ないし５いずれか１項記載の撮像装置。
【請求項７】
前記骨振動伝達手段は、前記撮影者が前記電子ビューファインダを使用した場合に、前記撮影者の頬に当たる位置に設けられることを特徴とする請求項１ないし６いずれか１項記載の撮像装置。
【発明の詳細な説明】
【技術分野】
【０００１】
本発明は、音もしくは振動により撮影者に動作状態を知らせる撮像装置に関する。
【背景技術】
【０００２】
撮像装置として、ＣＣＤなどの固体撮像素子で撮像した被写体の像をデジタルの画像データに変換し、内蔵メモリやメモリカードなどの記憶媒体に記憶するデジタルカメラが普及している。このようなデジタルカメラには、操作を説明する音声ガイダンス、フォーカスが合焦状態になったときに発せられるフォーカス合焦音、シャッター音など、撮影に関する情報を音声で提供する機能が備わっている。
【０００３】
なお、特許文献１には、ポータブルビデオカメラにおいて、撮影者の頭もしくは顔が接触する部分に、骨伝動用振動素子を設けて、モニター用の音声を撮影者の骨を介して伝達することによって、外部に音を漏らすことなく音声をモニターすることができるポータブルビデオカメラが示されている。
【特許文献１】特開平５−４８９４１号公報
【発明の開示】
【発明が解決しようとする課題】
【０００４】
しかしながら、特に動物や子供などを被写体とした場合には、シャッターを切る際に発せられるシャッター音にびっくりすることがある。この場合には、止むを得ず、音声機能を停止させて、無音状態で撮影することとなる。
【０００５】
本発明は、音声機能を停止させることなく、撮影に関する情報を提供できるようにした撮像装置を提供することを目的とする。
【課題を解決するための手段】
【０００６】
上記課題を解決するために、本発明は、被写体の像を撮像する撮像手段と、半押しと全押しとに操作可能なレリーズボタンと、各種操作及び設定を行う操作部とを有する撮像装置において、：前記レリーズボタンもしくは前記操作部における操作に応答して、撮影者に対して提供される情報である撮影者提供情報を発信する情報発信手段と、：前記撮影者提供情報を、音声信号に変換する変換手段と、：前記音声信号に基づいて、前記撮影者の骨に振動を伝達する骨振動伝達手段と：を備えることを特徴とする。
【０００７】
前記音声信号に基づいて、空気中に音声を伝達する音声伝達手段と、：前記撮影者が、前記骨振動伝達手段を使用する振動モードと、前記音声伝達手段を使用する音声モードとを、手動で切り換える手動切換手段と：を備えることが好ましい。
【０００８】
前記撮影者が、前記撮像手段から出力される画像データに基づいて画像を表示する電子ビューファインダを使用しているか否かを検知する検知手段と、：前記検知手段が、前記撮影者が前記電子ビューファインダを使用していると検知した場合には、前記振動モードに切り換え、前記撮影者が前記電子ビューファインダを使用していないと検知した場合には、前記音声モードに切り換える自動切換手段と：を備えることが好ましい。
【０００９】
前記レリーズボタンの半押しに応答し、前記画像データに基づいて、前記撮像手段を構成するフォーカスレンズの駆動を制御する制御手段と、：前記撮像手段における焦点が前記被写体に合致して、前記フォーカスレンズの駆動が停止したときに駆動停止信号を発信する信号発信手段と：を備えることが好ましい。
【００１０】
前記撮影者提供情報は、前記レリーズボタンの全押しに応答して、撮像が完了したことを通知する撮影完了情報であることが好ましい。
【００１１】
前記撮影者提供情報は、前記操作について説明する音声ガイダンスであることが好ましい。
【００１２】
前記骨振動伝達手段は、前記撮影者が前記電子ビューファインダを使用した場合に、前記撮影者の頬に当たる位置に設けられることが好ましい。
【発明の効果】
【００１３】
本発明によると、被写体の像を撮像する撮像手段と、半押しと全押しとに操作可能なレリーズボタンと、各種操作及び設定を行う操作部とを有する撮像装置において、前記レリーズボタンもしくは前記操作部における操作に応答して、撮影者に対して提供される情報である撮影者提供情報を発信する情報発信手段と、前記撮影者提供情報を、音声信号に変換する変換手段と、前記音声信号に基づいて、前記撮影者の骨に振動を伝達する骨振動伝達手段とを備えることによって、撮影に関する情報を、音を発することなく、撮影者のみに提供することができる。
【発明を実施するための最良の形態】
【００１４】
図１及び図２に示すように、本発明を適用したデジタルカメラ２の前面には、撮像レンズ１０を保持するレンズ鏡胴１１が組み込まれている。デジタルカメラ２の上面には、レリーズボタン１２、電源スイッチ１３、マイク１４、及びモードダイヤル１５が設けられており、側面には、スピーカ１６が設けられている。スピーカ１６は、主として撮影者に対して提供される各種情報（以下「撮影者提供情報」という）を、音声として発生する。撮影者提供情報としては、例えば焦点が被写体に合致したことを知らせる焦点合致情報、撮影が完了したことを知らせる撮影完了情報、デジタルカメラ２の操作方法を説明する音声ガイダンスなどが挙げられるが、これら情報に限る必要はない。
【００１５】
撮像レンズ１０は、ズームレンズ１０ａとフォーカスレンズ１０ｂとからなる（図４参照）。レリーズボタン１２は、２段階押しのスイッチとなっている。このレリーズボタン１２を軽く押圧（半押し）すると、自動露出調整（ＡＥ）、自動焦点調整（ＡＦ）などの各種撮影準備処理がなされる。この半押し状態から、さらにレリーズボタン１２をもう一度強く押圧（全押し）すると、撮影準備処理がなされた１画面分の撮像信号が、画像データに変換された後、後述する画像処理及び圧縮処理がなされ、メモリーカード６３（図４参照）に格納される。
【００１６】
デジタルカメラ２では、静止画撮影を行う静止画撮影モード、動画撮影を行う動画撮影モード、撮影した画像をＬＣＤ２１に表示する再生モード、及び各種設定を行う設定モードが選択可能となっている。これらモードは、モードダイヤル１５を回動操作させることによって、切り替えられる。
【００１７】
デジタルカメラ２の背面には、電子ビューファインダ２０、液晶表示器（ＬＣＤ）２１、骨振動伝達部２２、及び操作部２３が設けられ、その背面から側面に渡って、メモリーカード６３（図４参照）を収納するメモリカード収納部２４が設けられている。電子ビューファインダ２０及びＬＣＤ２１は、Ａ／Ｄ変換器４９（図４参照）から出力される画像データに基づいて、画像を表示する。
【００１８】
図３に示すように、骨振動伝達部２２は、音声信号を振動として、撮影者の骨に伝達する骨振動伝達素子２２ａと、この骨振動伝達素子２２ａを覆う凸状のカバー２２ｂとからなる。骨振動伝達部２２は、振動を撮影者の頬の骨に伝達できるように、電子ビューファインダ２０の略下方に設けられている。この骨振動伝達部２２の振動によって、音を発することなく、撮影者のみに前記撮影者提供情報を伝えることが可能となる。特に、シャッター音などに敏感に反応してしまう動物や子供などを、被写体とする場合に、有効な手段である。
【００１９】
また、図２に示すように、電子ビューファインダの外枠２０ａには、撮影者が電子ビューファインダ２０を使用しているかどうかを検知するファインダ使用検知センサ２７が設けられている。ファインダ使用検知センサ２７が、撮影者が電子ビューファインダ２０を使用していると検知した場合には、ＣＰＵ５７（図４参照）に使用検知信号が送信され、骨振動伝達部２２を使用する振動モードに切り換えられる。一方、電子ビューファインダ２０は使用されていないと検知した場合には、スピーカ１６を使用する音声モードに切り換えられる。
【００２０】
操作部２３は、ズームレンズ１０ａをワイド側、テレ側に変倍するズーム操作ボタン３０、ＬＣＤ２１にメニュー画面を表示させる場合や、各種機能を選択する場合に操作するメニューボタン３１、及びメニュー画面内でカーソルを移動させる十字キー３２などから構成されている。この操作部２３の操作によって、前記振動モードと前記音声モードとの切り換えを、手動で行うか、もしくはファインダ使用検知センサ２７を用いて、自動的に行うかを選択することができる。
【００２１】
図４に示すように、デジタルカメラ２の電気的構成において、ズームレンズ１０ａ、フォーカスレンズ１０ｂには、レンズモータ４０ａ，４０ｂが接続されている。また、絞り４１には、アイリスモータ４２が接続されている。これらモータ４０ａ，４０ｂ，４２はステッピングモータで構成されており、ＣＰＵ５７に接続されたドライバ４３ａ，４３ｂ，４２ａから送信される駆動パルスによって制御され、レリーズボタン１２の半押しに伴って、撮影準備処理を行う。
【００２２】
レンズモータ４０ａは、ズーム操作ボタン３０の操作に連動して、ズームレンズ１０ａをワイド側、もしくはテレ側に移動させる。また、レンズモータ４０ｂは、ＡＦ検出回路５８による画像データの処理結果に基づいて、フォーカスレンズ１０ｂを駆動させ、焦点が被写体に合致するように焦点調整を行う。また、レンズモータ４０ｂには、このレンズモータ４０ｂの動作を検出するモータセンサ４４が設けられている。モータセンサ４４は、焦点が被写体に合致し、フォーカスレンズ１０ｂの駆動が停止したときに、駆動停止信号をＣＰＵ５７に送信する。駆動停止信号を受信したCPU５７は、音声処理回路６０に前記焦点合致情報を発信する。アイリスモータ４２は、絞り４１を動作させて、露出調整を行う。
【００２３】
撮像レンズ１０及び絞り４１の背後には、被写体像が撮像されるＣＣＤ４５が配置されている。ＣＣＤ４５には、ＣＰＵ５７によって制御されるタイミングジェネレータ（ＴＧ）４６が接続され、このＴＧ４６から入力されるクロックパルスに基づいて、電子シャッタのシャッタ速度が決定される。
【００２４】
ＣＣＤ４５から出力された撮像信号は、相関二重サンプリング回路（ＣＤＳ）４７に入力され、ＣＣＤ４５の各セルの蓄積電荷量に対応したＲ，Ｇ，Ｂの画像データとして出力される。ＣＤＳ４７から出力された画像データは、増幅器（ＡＭＰ）４８で増幅され、Ａ／D変換器（A／D）４９で画像データに変換される。これらCDS４７、AMP４８、及びA／D４９は、CPU５７によって制御される。
【００２５】
画像入力コントローラ５０は、画像データのバス５１への入力を制御する。バス５１には、画像入力コントローラ５０の他に、画像信号処理回路５２、ＡＥ／ＡＷＢ検出回路５３、ＹＣ変換処理回路５４、圧縮・伸長処理回路５５、メディアコントローラ５６、ＣＰＵ５７、ＡＦ検出回路５８、内部メモリ５９、音声処理回路６０、ＬＣＤドライバ６１が接続されており、これら各部はバス５１を介してCPU５７によって制御されるとともに、相互間でデータの授受が可能になっている。
【００２６】
画像信号処理回路５２は、画像データに対して、γ補正、ホワイトバランス補正等の画像処理を行う。ＡＥ／ＡＷＢ検出回路５３は、画像入力コントローラ５０から出力される画像データに基づいて、被写体画像における輝度と、光源の種類との検出を行い、それら被写体輝度情報、光源情報をＣＰＵ５７に送信する。ＣＰＵ５７は、光源情報に基づいて、画像信号処理回路５２におけるホワイトバランスの設定値を変更する。ＹＣ変換処理回路５４は、画像信号処理回路５２で各種処理が施された画像データを、輝度信号Ｙと色差信号Ｃｒ，Ｃｂとに変換する。
【００２７】
圧縮・伸長処理回路５５は、画像データに対して、所定の圧縮形式、例えばJPEG形式で画像圧縮を施す。圧縮された画像データは、内部メモリ５９に格納される。また、圧縮・伸長処理回路５５は、再生時には、メモリーカード６３から読み出された、圧縮画像データに対して、画像伸長を施す。
【００２８】
メディアコントローラ５６は、メモリーカード６３への画像データの書き込み及び読み出しを制御する。記録時には、画像データは、各種処理が施されてから、メディアコントローラ５６に送られて、メモリーカード６３に書き込まれる。また、再生時には、メディアコントローラ５６によって、メモリーカード６３に記録されている画像データが読み出される。読み出された画像データは、圧縮・伸長処理回路５５に送られて、画像データの伸長がなされた後に、内部メモリ５９に送られる。
【００２９】
ＣＰＵ５７には、レリーズボタン１２、モードダイヤル１５、操作部２３、ファインダ使用検知センサ２７などの他に、ＥＥＰＲＯＭ６５、ストロボ発光回路６６が接続されている。ＥＥＰＲＯＭ６５には、前記撮影者提供情報の他に、各種制御用のプログラム、設定情報などが記録されている。
【００３０】
ストロボ発光回路６６は、ストロボ６７の発光量を制御する。ストロボ６７は、被写体輝度が低いときに自動的にストロボ発光させる自動発光モード、被写体輝度に関わらずストロボ発光させる強制発光モード、ストロボ発光を禁止する発光禁止モード、赤目現象を軽減させる赤目軽減モードなどの各種発光モードを備えており、これらモードは、操作部２３における操作によって、適宜選択をすることができる。
【００３１】
AF検出部５８は、画像入力コントローラ５０から出力される画像データに基づいて、被写体画像におけるコントラストを検出し、そのコントラスト情報をCPU５７に送信する。CPU５７は、ＥＥＰＲＯＭ６５に格納されたコントラスト情報を参照し、被写体画像におけるコントラストが最大となるように、ドライバ４３ｂを介してフォーカスレンズ１０ｂを駆動させる。
【００３２】
内部メモリ５９は、各部から出力されるデータを一時的に記憶する。内部メモリ５９には、例えば高速な読み出しと書き込みが可能なSDRAMが用いられる。
【００３３】
音声処理回路６０は、ＣＰＵ５７から送信される前記撮影者提供情報を、アナログの音声信号に変換し、音声再生回路７０に出力する。また、音声処理回路６０は、マイク１４から出力されるアナログの音声信号を、デジタルの音声データに変換する。音声再生回路７０は、音声処理回路６０から送られてくる音声信号を増幅し、増幅された音声信号を、ＣＰＵ５７によって指定されたモード、すなわち前記音声モードの場合にはスピーカ１６に、前記振動モードの場合には骨振動伝達部２２に送信する。モードの指定は、ファインダ使用検知センサ２７の検知結果もしくは操作部２３における操作に基づいて、なされる。
【００３４】
ＬＣＤドライバ６１は、内部メモリ５９から画像データを読み出し、その画像データに基づいて、電子ビューファインダ２０及びＬＣＤ２１を駆動する。これにより、電子ビューファインダ２０及びＬＣＤ２１には、撮像中の被写体画像が表示されれ、また、画像再生時に、ＬＣＤ２１には、メモリカード６３から読み出された画像が表示される。
【００３５】
次に、図５から図７に示すように、上記構成を有するデジタルカメラ２の動作を、フローチャートを参照しながら説明する。まず、デジタルカメラ２で被写体の撮影を行う際には、電源スイッチ１３を操作して、デジタルカメラ２の電源を投入し、モードダイヤル１５を操作して、静止画撮影モード、あるいは動画撮影モードを選択する。ここでは、静止画撮影モードを例にして、以下説明を行う。
【００３６】
図５に示すように、操作部２３における操作により、前記振動モードと前記音声モードとの切り換えを、自動的に行うと選択した場合には、ファインダ使用検知センサ２７が検知待ち状態になる。撮影者が電子ビューファインダ２０を使用し、ファインダ検知センサ２７が撮影者の使用を検知した場合には、前記振動モードに切り換えられる。一方、ファインダ使用検知センサ２７が電子ビューファインダ２０の使用を検知しない場合には、前記音声モードに切り換えられる。
【００３７】
また、前記振動モードと前記音声モードとの切り換えを、手動で行うと選択した場合には、操作部２３における操作によって、各モードの選択がなされる。
【００３８】
次に、図６に示すフローチャートを参照しながら、振動モード時における撮影を説明する。撮像レンズ１０、絞り４１を介して入射した被写体光は、ＣＣＤ４５により光電変換され、ＣＤＳ４７にてサンプリングされる。ＣＤＳ４７から出力された画像データは、ＡＭＰ４８で増幅され、Ａ／Ｄ４９でデジタルの画像データに変換される。
【００３９】
デジタル変換された画像データは、画像入力コントローラ５０によって、バス５１に接続された各部への入力が制御される。画像データは、画像信号処理回路５２で各種画像処理が施された後、内部メモリ５９に順次記録される。内部メモリ５９に記録された画像データは、ＹＣ変換処理回路５４によって読み出され、輝度信号Ｙと色差信号Ｃｒ，Ｃｂとに変換された後、ＬＣＤドライバ６１を介してＬＣＤ２１にスルー画像として表示される。
【００４０】
この状態で、レリーズボタン１２が半押しされると、ＡＥ／ＡＷＢ検出回路５３、ＡＦ検出回路５８によって、被写体画像における輝度、光源の種類、コントラストが検出される。検出結果は、被写体輝度情報、光源情報、コントラスト情報として、ＣＰＵ５７に送信される。
【００４１】
コントラスト情報を受信したＣＰＵ５７は、ドライバ４３ｂを介してフォーカスレンズ１０ｂを駆動させる（ＡＦ処理）。焦点が被写体に合致し、フォーカスレンズ１０ｂの駆動が停止したときに、モータセンサ４４は駆動停止信号をＣＰＵ５７に送信する。駆動停止信号を受信したＣＰＵ５７は、音声処理回路６０に前記焦点合致情報を発信する。
【００４２】
音声処理回路６０は、前記焦点合致情報を音声信号に変換する。骨振動伝達部２２は、前記音声信号に基づいて、フォーカス合焦音を振動として発生する。
【００４３】
半押し状態にあるレリーズボタン１２がさらに全押しされると、ＣＰＵ５７から前記撮影完了情報が音声処理回路６０に送信される。音声処理回路６０は、前記撮影完了情報を音声信号に変換する。この音声信号に基づいて、骨振動伝達部２２は、シャッター音を振動として発生する。同時に、内部メモリ５９に記録されている画像データが圧縮・伸長処理回路５５で圧縮処理され、メディアコントローラ５６を経由してメモリーカード６３に格納される（画像データの取り込み）。
【００４４】
音声モード時における撮影については、フォーカス合焦音及びシャッター音が、スピーカ１６から音声として発生される以外は、振動モード時における撮影と同様であるので、説明は省略する（図７参照）。
【００４５】
また、操作部２３における操作にて、前記音声ガイダンスの有無を選択することができる。音声ガイダンス有りと選択した場合には、図５におけるフローチャートに従って、振動モードもしくは音声モードに切り換えられ、それぞれのモードに基づいて、音声ガイダンスがなされる。
【００４６】
なお、本実施形態では、フォーカスレンズ１０ｂの駆動が停止し、モータセンサ４４から駆動停止信号がＣＰＵ５７に送信されたときに、焦点合致情報を発信するようにしたが、モータセンサ４４を用いずに、ＡＦ検出回路５８による画像データの処理結果に基づいて、焦点が被写体に合致するまでの時間を算出し、この算出した時間が経過したときに、焦点合致情報を音声処理回路６０に発信するようにしてもよい。
【００４７】
最後に、特許請求の範囲における各構成要素と、発明の実施の形態における各構成要素との対応について説明する。撮像手段は、撮像レンズ１０（ズームレンズ１０ａ、フォーカスレンズ１０ｂ）、レンズモータ４０ａ，４０ｂ、絞り４１、アイリスモータ４２、ドライバ４２ａ，４３ａ，４３ｂ、ＣＣＤ４５、ＴＧ４６、ＣＤＳ４７、ＡＭＰ４８、Ａ／Ｄ４９からなる。情報発信手段は、ＣＰＵ５７、ＥＥＰＲＯＭ６５からなる。変換手段は、音声処理回路６０である。骨振動伝達手段は、骨振動伝達部２２である。音声伝達手段は、スピーカ１６である。手動切換手段は、操作部２３、ＣＰＵ５７、音声再生回路７０からなる。検知手段は、ファインダ使用検知センサ２７である。自動切換手段は、ＣＰＵ５７、音声再生回路７０からなる。制御手段は、ＣＰＵ５７、ＡＦ検出回路５８からなる。信号発信手段は、モータセンサ４４である。なお、上記構成要素は本実施形態で用いられた一例であり、これらに限る必要はない。
【図面の簡単な説明】
【００４８】
【図１】本発明に係るデジタルカメラの斜視図である。
【図２】本発明に係るデジタルカメラの背面図である。
【図３】本発明に係るデジタルカメラの要部側面図である。
【図４】本発明に係るデジタルカメラの電気的構成を示すブロック図である。
【図５】本発明に係るデジタルカメラの処理手順を示すフローチャートである。
【図６】振動モード時における、本発明に係るデジタルカメラの撮影処理手順を示すフローチャートである。
【図７】音声モード時における、本発明に係るデジタルカメラの撮影処理手順を示すフローチャートである。
【符号の説明】
【００４９】
２  デジタルカメラ
１０  撮像レンズ
１０ａ  ズームレンズ
１０ｂ  フォーカスレンズ
１２  レリーズボタン
１６  スピーカ
２０  電子ビューファインダ
２２  骨振動伝達部
２３  操作部
２７  ファインダ使用検知センサ
４４  モータセンサ
４５  ＣＣＤ
５７  ＣＰＵ
５８  ＡＦ検出回路
６０  音声処理回路
６５  ＥＥＰＲＯＭ
７０  音声再生回路
【図１】
2007199259.tif 000003
【図２】
2007199259.tif 000004
【図３】
2007199259.tif 000005
【図４】
2007199259.tif 000006
【図５】
2007199259.tif 000007
【図６】
2007199259.tif 000008
【図７】
2007199259.tif 000009